(57)【要約】      （修正有）【課題】構造が簡単で、装置全体を著しく小型で安価に製造できる破損した焼物類の角取り、面取り装置を提供する。【解決手段】角取り、面取り回転体１は、回転軸５と共に回転する回転筒体２と簀の子状の金網筒体３とにより形成され、回転筒体２には内部の所定位置に複数の略方形状よりなる取着鉄片６を取付け、且つ回転筒体２には、内部に円形及び方形等の各種の変形の鬼塊を投入すると共に、硝子類、陶磁器及び陶磁瓦等の破損物を投入し、角取り、面取り回転体１の混合回転により該破損物の角取り、面取り、された小片を金網筒体３より落下せしめる。【選択図】図１
0003165514.tif 000002
【実用新案登録請求の範囲】
【請求項１】
破砕回転体（１）は、回転軸（５）と共に回転する回転筒体（２）と簀の子状の金網筒体（３）とより形成され、該回転筒体（２）には、内部の所定位置に複数の略方形状よりなる取着鉄片（６）（６）を取付け、且つ該回転筒体（２）には、内部に円形及び方形等の各種の変形の鉄塊（９）（９）を投入すると共に、硝子類、陶磁器及び陶磁瓦等の破損物（１０）（１０）を投入し、該破砕回転体（１）の混合回転により該破損物（１０）（１０）の破砕された小片を該金網筒体（３）より落下せしめる事を特徴とした破損した焼物類の破砕装置。
【考案の詳細な説明】
【技術分野】
【０００１】  本考案は、各種の硝子類、陶磁器類及び陶磁瓦類等の破損した状態になった時に、これを回転体の内部に投入して細かく破砕し、これを金網筒体より落下して処分する破損した焼物類の破砕装置に関するものである。
【背景技術】
【０００２】  従来この種の硝子類、陶磁器類は、最初から破損したものを集めて、最終処分場に於いて埋立て処分される現状である。従って、現在でも、リサイクルとして再利用する技術が開発されていない現状である。
また、全国的に最終処分場は、満杯の状態であり、新規の最終処分場の装設は、経済的にも大変に困難な状態である。
【考案の概要】
【考案が解決しようとする課題】
【０００３】  本考案は、破損した焼物類の破砕装置を使用する事により、最初からコンクリート製品の骨材を目的として作成して活用、利用するもので、再度の骨材として利用するものである。
即ち、本考案によれば、破砕回転体を回転筒体と金網筒体とを一体に形成し、回転筒体の内周面に鉄製の変形の取着鉄片を複数個固定し、その回転筒体の内部に各種の鉄塊を投入し、破損した焼物類と、変形した鉄の塊とを一緒に回転して焼物類の破砕するもので、構造が簡単で装置全体を著しく小型で安価に製造できる破損した焼物類の破砕装置を提供するものである。
【課題を解決するための手段】
【０００４】  上記目的を達成するために、本考案は、稍傾斜した破砕回転体を回転軸と共に回転する内周面に鉄片を取付けた回転筒体と、破損された焼物類が落下する簀の子状の金網筒体とを形成する。該破砕回転体の回転筒体に投入口より、円形状、方形状等の各種の変形した数個の鉄塊を投入すると共に、破損した焼物類を投入混合し、両者の回転により破砕された焼物類の小片を金網筒体の網目より落下させるものである。
【考案の効果】
【０００５】  本考案は、以上説明したように構成されているので、従来この種の焼物類を破砕して小粒にする大型の破砕機械を必要とせず、非常に小型な構造で簡単であるから安価に製作できるため、何人でも容易に使用でき、且つ故障等が少ない効果がある。
そして、破砕回転体を回転軸と共に回転する回転筒体と簀の子状の金網筒体を一体的に形成したので、構造が容易で故障が少ない効果と、回転により金網筒体より破砕された焼物類の小片が順次落下する効果もある。
更に、回転筒体の内面に略方形状の複数の取着鉄片を突設したものと、内部に投入した各種変形の鉄塊と、内部に投入する破損物との三者の回転によって、接触打撃及び摩擦によって破損物を小片に砕いて、金網筒体の網目より下方に確実に落下する効果がある。
また、金網筒体の網目より大きい各種の鉄塊は、使用された不用品でも再度充分に使用できる便利な効果もある。
【図面の簡単な説明】
【０００６】
【図１】  本考案の破砕装置の全体の側面図である。
【図２】  本考案の図１のＡ−Ａ線の側面図である。
【図３】  同じく本考案の金網筒体の縦断側面図である。
【図４】  本考案の回転筒体に取着する取着鉄片の斜面図である。
【図５】  同じく本考案の使用する各種の鉄塊の斜面図である。
【考案を実施するための形態】
【０００７】  上記のように構成されている破損した焼物類の破砕装置によれば、破砕回転体の内部に固定されている投入口より、各種の硝子類、陶磁類及び陶磁瓦等の大小の破損物を投入すると、回転筒体の内面に取着けた突出した取着鉄片と、内部に投入した円形及び各種の鉄塊とが混合して回転することにより、破損物と内面に取着けた取着鉄片と各種の鉄塊とによる打撃と摩擦とによって小さく粉砕し、順次送られて金網筒体より粉砕と破砕とが落下して受容器に溜めた後にコンクリート製品及び道路等の骨材として活用、利用するものである。
【実施例】
【０００８】  本考案の実施例を図面について説明すると、図１に示す如く、破砕回転体（１）は、円筒形または楕円形、若しくは、それに類似した鉄製の筒体で、両端は閉蓋され、両端には回転軸（５）が挿通され全体が稍傾斜状に形成されている。
また、該破砕回転体（１）は、回転筒体（２）と、後方に金網筒体（３）とを一体に形成してある。
該回転筒体（２）には、内周面に方形状等の数個の取着鉄片（６）（６）と支持用の支骨（４）（４）を装設してある。
次に、該金網筒体（３）には、支骨（４）（４）によって円形に支持され、外周に簀の子状の金網部（７）を以って構成されている。
次に、図２に示すものは、回転筒体（２）の内部に図５に示す、円形、三角形及び正方形等の各種形状よりなる鉄製の鉄塊（９）（９）の投入されている中に硝子等の破損物（１０）（１０）を投入し、両者を回転する事により各破損物と鉄塊（９）（９）との各々の打撃と摩擦等により破砕と粉砕との処理を実施するものである。
また、破砕と粉砕された破損物は、回転しながら金網筒体（３）に至り、下部の受容器（１６）に落下処理される。
更に、各種の破損物（１０）（１０）を投入する投入体（８）は、破砕回転体（１）と共に、回転しないで固定され、該回転軸（５）を挿通している。
また、該回転軸（５）の両端は、支持脚（１５）（１５）に載置された軸受（１１）（１１）によって支持されている。該回転軸（５）の一方の端部には、プーリー（１２）を設け、該プーリー（１２）に架設したベルト（１３）と、該ベルト（１３）を架設したモーター（１４）とを架設してある。符号（１７）は、該支持脚（１５）（１５）を支持する土台である。
【符号の説明】
【０００９】１          破砕回転体
２          回転筒体
３          金網筒体
４          支骨
５          回転軸
６          取着鉄片
７          金網部
８          投入体
９          鉄塊
１０        破損物
１１        軸受
１２        プーリー
１３        ベルト
１４        モーター
１５        支持脚
【図１】
0003165514.tif 000003
【図２】
0003165514.tif 000004
【図３】
0003165514.tif 000005
【図４】
0003165514.tif 000006
【図５】
0003165514.tif 000007
【手続補正書】
【提出日】平成22年11月22日(2010.11.22)
【手続補正１】
【補正対象書類名】実用新案登録請求の範囲
【補正対象項目名】全文
【補正方法】変更
【補正の内容】
【実用新案登録請求の範囲】
【請求項１】
角取り、面取り回転体（１）は、回転軸（５）と共に回転する回転筒体（２）と簀の子状の金網筒体（３）とより形成され、該回転筒体（２）には、内部の所定位置に複数の略方形状よりなる取着鉄片（６）（６）を取付け、且つ該回転筒体（２）には、内部に円形及び方形等の各種の変形の鉄塊（９）（９）を投入すると共に、硝子類、陶磁器及び陶磁瓦等の破損物（１０）（１０）を投入し、該角取り、面取り回転体（１）の混合回転により該破損物（１０）（１０）の角取り、面取りされた小片を該金網筒体（３）より落下せしめる事を特徴とした破損した焼物類の角取り、面取り装置。
【手続補正２】
【補正対象書類名】明細書
【補正対象項目名】全文
【補正方法】変更
【補正の内容】
【考案の詳細な説明】
【技術分野】
【０００１】  本考案は、各種の硝子類、陶磁器類及び陶磁瓦類等の破損した状態になった時に、これを回転体の内部に投入して細かく角取り、面取りし、これを金網筒体より落下して処分する破損した焼物類の角取り、面取り装置に関するものである。
【背景技術】
【０００２】  従来この種の硝子類、陶磁器類は、最初から破損したものを集めて、最終処分場に於いて埋立て処分される現状である。従って、現在でも、リサイクルとして再利用する技術が開発されていない現状である。
また、全国的に最終処分場は、満杯の状態であり、新規の最終処分場の装設は、経済的にも大変に困難な状態である。
【考案の概要】
【考案が解決しようとする課題】
【０００３】  本考案は、破損した焼物類の角取り、面取り装置を使用する事により、最初からコンクリート製品の骨材を目的として作成して活用、利用するもので、再度の骨材として利用するものである。
即ち、本考案によれば、角取り、面取り回転体を回転筒体と金網筒体とを一体に形成し、回転筒体の内周面に鉄製の変形の取着鉄片を複数個固定し、その回転筒体の内部に各種の鉄塊を投入し、破損した焼物類と、変形した鉄の塊とを一緒に回転して焼物類の角取り、面取りするもので、構造が簡単で装置全体を著しく小型で安価に製造できる破損した焼物類の角取り、面取り装置を提供するものである。
【課題を解決するための手段】
【０００４】  上記目的を達成するために、本考案は、稍傾斜した角取り、面取り回転体を回転軸と共に回転する内周面に鉄片を取付けた回転筒体と、破損された焼物類が落下する簀の子状の金網筒体とを形成する。該角取り、面取り回転体の回転筒体に投入口より、円形状、方形状等の各種の変形した数個の鉄塊を投入すると共に、破損した焼物類を投入混合し、両者の回転により角取り、面取りされた焼物類の小片を金網筒体の網目より落下させるものである。
【考案の効果】
【０００５】  本考案は、以上説明したように構成されているので、従来この種の焼物類を角取り、面取りして小粒にする大型の破砕機械を必要とせず、非常に小型な構造で簡単であるから安価に製作できるため、何人でも容易に使用でき、且つ故障等が少ない効果がある。
そして、角取り、面取り回転体を回転軸と共に回転する回転筒体と簀の子状の金網筒体を一体的に形成したので、構造が容易で故障が少ない効果と、回転により金網筒体より角取り、面取りされた焼物類の小片が順次落下する効果もある。
更に、回転筒体の内面に略方形状の複数の取着鉄片を突設したものと、内部に投入した各種変形の鉄塊と、内部に投入する破損物との三者の回転によって、接触打撃及び摩擦によって破損物を小片に砕いて、金網筒体の網目より下方に確実に落下する効果がある。
また、金網筒体の網目より大きい各種の鉄塊は、使用された不用品でも再度充分に使用できる便利な効果もある。
【図面の簡単な説明】
【０００６】
【図１】  本考案の角取り、面取り装置の全体の側面図である。
【図２】  本考案の図１のＡ−Ａ線の側面図である。
【図３】  同じく本考案の金網筒体の縦断側面図である。
【図４】  本考案の回転筒体に取着する取着鉄片の斜面図である。
【図５】  同じく本考案の使用する各種の鉄塊の斜面図である。
【考案を実施するための形態】
【０００７】  上記のように構成されている破損した焼物類の角取り、面取り装置によれば、角取り、面取り回転体の内部に固定されている投入口より、各種の硝子類、陶磁類及び陶磁瓦等の大小の破損物を投入すると、回転筒体の内面に取着けた突出した取着鉄片と、内部に投入した円形及び各種の鉄塊とが混合して回転することにより、破損物と内面に取着けた取着鉄片と各種の鉄塊とによる打撃と摩擦とによって小さくなり、順次送られて金網筒体より角取り、面取りされた物が落下して受容器に溜めた後にコンクリート製品及び道路等の骨材として活用、利用するものである。
【実施例】
【０００８】  本考案の実施例を図面について説明すると、図１に示す如く、角取り、面取り回転体（１）は、円筒形または楕円形、若しくは、それに類似した鉄製の筒体で、両端は閉蓋され、両端には回転軸（５）が挿通され全体が稍傾斜状に形成されている。
また、該角取り、面取り回転体（１）は、回転筒体（２）と、後方に金網筒体（３）とを一体に形成してある。
該回転筒体（２）には、内周面に方形状等の数個の取着鉄片（６）（６）と支持用の支骨（４）（４）を装設してある。
次に、該金網筒体（３）には、支骨（４）（４）によって円形に支持され、外周に簀の子状の金網部（７）を以って構成されている。
次に、図２に示すものは、回転筒体（２）の内部に図５に示す、円形、三角形及び正方形等の各種形状よりなる鉄製の鉄塊（９）（９）の投入されている中に硝子等の破損物（１０）（１０）を投入し、両者を回転する事により各破損物と鉄塊（９）（９）との各々の打撃と摩擦等により角取り、面取りの処理を実施するものである。
また、角取り、面取りされた物は、回転しながら金網筒体（３）に至り、下部の受容器（１６）に落下処理される。
更に、各種の破損物（１０）（１０）を投入する投入体（８）は、角取り、面取り回転体（１）と共に、回転しないで固定され、該回転軸（５）を挿通している。
また、該回転軸（５）の両端は、支持脚（１５）（１５）に載置された軸受（１１）（１１）によって支持されている。該回転軸（５）の一方の端部には、プーリー（１２）を設け、該プーリー（１２）に架設したベルト（１３）と、該ベルト（１３）を架設したモーター（１４）とを架設してある。符号（１７）は、該支持脚（１５）（１５）を支持する土台である。
【符号の説明】
【０００９】１    角取り、面取り回転体
２    回転筒体
３    金網筒体
４    支骨
５    回転軸
６    取着鉄片
７    金網部
８    入体
９    鉄塊
１０  破損物
１１  軸受
１２  プーリー
１３  ベルト
１４  モーター
１５  支持脚